(57)【要約】      （修正有）【課題】変圧器全体の出力抵抗を簡単に調整する効果を達し、複数の巻溝を有する変圧器の巻線の浮遊容量を低減し、変圧器の帯域幅を向上する結合調整巻溝を有するボビン構成を提供する。【解決手段】少なくとも内部に磁力線を通過させるための経路を設けるボビン本体１を包括する結合調整巻溝を有するボビン構成であって、経路の外周側は互いに区分けし合い且つ長さが異なる少なくとも三つの巻溝１２（１２１、１２２）を設け、選択的に既定の変圧器コイル２の一次巻線２１（或いは二次巻線２２）をこれ等巻溝のうちの一つに巻き付け、且つ二次巻線（或いは一次巻線）を残りの巻溝に巻き付けており、二次巻線（或いは一次巻線）を利用して各巻溝内に分布する巻数を変化させ、一次巻線（或いは二次巻線）と異なる電磁結合効果を発生している。【選択図】図３
0003196424.tif 000002
【実用新案登録請求の範囲】
【請求項１】
少なくとも内部に磁力線を通過させるための経路を設けるボビン本体を包括する結合調整巻溝を有するボビン構成であって、
前記経路の外周側は互いに区分けし合う少なくとも三つの巻溝を設け、これ等巻溝のうちの一つは既定の変圧器コイルの一次巻線を巻き付けるために用い、且つ前記変圧器コイルの二次巻線は残りの巻溝に選択的に巻き付けるように分布することを特徴とする結合調整巻溝を有するボビン構成。
【請求項２】
各前記巻溝は、異なる長さを有することを特徴とする請求項１に記載の結合調整巻溝を有するボビン構成。
【請求項３】
前記経路に近接する前記ボビン本体の少なくとも一端は、サイドに向かって延伸する台座部を設け、前記台座部は複数の接続端子を設けることを特徴とする請求項１に記載の結合調整巻溝を有するボビン構成。
【請求項４】
少なくとも内部に磁力線を通過させるための経路を設けるボビン本体を包括する結合調整巻溝を有するボビン構成であって、
前記経路の外周側は互いに区分けし合う少なくとも三つの巻溝を設け、これ等巻溝のうちの一つは既定の変圧器コイルの二次巻線を巻き付けるために用い、且つ前記変圧器コイルの一次巻線は残りの巻溝に選択的に巻き付けるように分布することを特徴とする結合調整巻溝を有するボビン構成。
【請求項５】
各前記巻溝は、異なる長さを有することを特徴とする請求項４に記載の結合調整巻溝を有するボビン構成。
【請求項６】
前記経路に近接する前記ボビン本体の少なくとも一端は、サイドに向かって延伸する台座部を設け、前記台座部は複数の接続端子を設けることを特徴とする請求項４に記載の結合調整巻溝を有するボビン構成。
【考案の詳細な説明】
【技術分野】
【０００１】
本考案は、結合調整巻溝を有するボビン構成であって、特にコイルの各巻線の相対的電磁結合位置を変化することによって、コイル全体の漏れインダクタンスを容易に調整すること及び抵抗を出力し且つ使用帯域幅を向上することを達するボビン構成に関するものである。
【背景技術】
【０００２】
周知の変圧器ボビン構成は、簡易的なものであって、単一の巻溝しか有してなく、且つそのコイルの一、二次巻線は、通常、一次巻線を巻溝内周側に巻き付け、二次巻線を一次巻線の外周側に巻き付けるように、順次に前記巻溝内に積層することで、上述の一、二次巻線の間に電磁結合効果を形成している。
【０００３】
また、ボビンの周囲に二つに区分けした巻溝を設けるものもあり、コイルの一、二次巻線を前記二つの巻溝にそれぞれ巻き付け、このことから、上述の一、二次巻線の間に電磁結合効果を形成することで、上述の二次巻線は、一次巻線で発生した磁場を感知し、相対する感知電圧を発生することができる。
【０００４】
上述した二つの従来の構成は、一、二次巻線の間の相互位置が固定されているため、その間の電磁結合特性を変化させることができないことから、上述の一、二次巻線の間の漏れインダクタンスを調整することはできず、ＬＬＣ共振回路からすると、通常の実施の際、メイン変圧器以外に外部共振インダクタを加えなければならず、近年、直接漏れインダクタンスを共振インダクタとする一体型変圧器があるが、前記一体型変圧器は占有する空間が小さいことやコスト的優位性を有するものの、漏れインダクタンスは位置が固定する一、二次巻線の制限をしばしば受けて弾性的に調整することが難しい。
【０００５】
現在、外部共振インダクタを変圧器内に整合したものがあるものの、いずれも一、二次巻線の距離を広げることにより漏れインダクタンスの向上を図っているため、コイルの巻き付け空間が浪費し、変圧器の大きさを増大させ、さらに、その一、二次巻線に溝分けを実施していないため、浮遊容量が過大化し、変圧器の作業帯域幅を低減している。
【０００６】
以上のような課題を有する従来の変圧器ボビン構成を鑑み、本考案を提供する。
【考案の概要】
【考案が解決しようとする課題】
【０００７】
本考案の主な目的は、ボビン上に互いに区分けし合い且つ長さが異なる少なくとも三つの巻溝を設ける結合調整巻溝を有するボビン構成を提供することにあり、コイルの一次巻線（或いは二次巻線）をこれ等巻溝のうちの一つに巻き付け、さらに、コイルの第二巻溝（或いは一次巻溝）を、既定のニーズに基づいてこれ等巻溝のうちの残りの少なくとも二つに巻き付け、各巻溝の間は異なる間隔を有し、さらに二次巻線（或いは一次巻線）が各巻溝内に分布する巻数の変化と併せることで、前記一、二次巻線の間に異なる結合効果を形成し、このことから、変圧器全体の出力抵抗を簡単に調整する効果を達し、複数の巻溝を有する変圧器の巻線の浮遊容量を低減し、変圧器の帯域幅を向上することがにある。
【０００８】
本考案のもう一つの目的は、外部共振インダクタを変圧器内部に整合する機構がある結合調整巻溝を有するボビン構成を提供することにあり、これによって全体の組合せを簡易化し、空間の利用効率を有効的に増加することにある。
【課題を解決するための手段】
【０００９】
上述の目的及び効果を達成するため、本考案が実行する技術的手段は、内部に磁力線を通過させるための経路を設けるボビン本体を包括しており、前記経路の外周側は互いに区分けし合う少なくとも三つの巻溝を設け、これ等巻溝のうちの一つは既定の変圧器コイルの一次巻線を巻き付けるために用い、且つ前記変圧器コイルの二次巻線は残りの巻溝に選択的に巻き付けるように分布している。
【００１０】
上述の構成に基づくと、各前記巻溝は、異なる長さを有している。
【００１１】
上述の構成に基づくと、前記経路に近接する前記ボビン本体の少なくとも一端は、サイドに向かって延伸する台座部を設け、前記台座部は複数の複数の接続端子を設けている。
【００１２】
本考案が実行するもう一つの技術的手段は、内部に磁力線を通過させるための経路を設けるボビン本体を包括しており、前記経路の外周側は互いに区分けし合う少なくとも三つの巻溝を設け、これ等巻溝のうちの一つは既定の変圧器コイルの二次巻線を巻き付けるために用い、且つ前記変圧器コイルの一次巻線は残りの巻溝に選択的に巻き付けるように分布している。
【００１３】
上述の構成に基づくと、各前記巻溝は、異なる長さを有している。
【００１４】
上述の構成に基づくと、前記経路に近接する前記ボビン本体の少なくとも一端は、サイドに向かって延伸する台座部を設け、前記台座部は複数の接続端子を設けている。
【００１５】
本考案に係る目的、効果及びその特徴に対してより具体的な理解を得てもらうため、以下において、図面とともに説明を行う。
【図面の簡単な説明】
【００１６】
【図１】本考案に係る第一応用実施例及びこれに関係する素子を示す分解図である。
【図２】本考案に係る第一応用実施例及びこれに関係する素子を示す組立図である。
【図３】本考案に係る第一応用実施例及びこれに関係する素子を示す断面図である。
【図４】本考案に係る第二応用実施例及びこれに関係する素子を示す断面図である。
【図５】本考案に係る第三応用実施例及びこれに関係する素子を示す断面図である。
【図６】本考案に係る第四応用実施例及びこれに関係する素子を示す断面図である。
【考案を実施するための形態】
【００１７】
図１乃至図３を参照すると、図面から分かるとおり、本考案に係る第一応用実施例の構成は、主に、内部に貫通する経路１１を設けるボビン本体１を包括しており、前記経路１１の外周側は巻溝グループ１２を設け、前記巻溝グループ１２は少なくとも第一巻溝１２１、第二巻溝１２２及び第三巻溝１２３から構成しており、前記ボビン本体１は前記巻溝グループ１２に対応する一端に両サイドに向かって延伸する台座部１３を設け、各前記台座部１３は複数の接続端子１４を設けている。
【００１８】
実際に応用する際、前記ボビン本体１はコイル２及び鉄芯グループ３と併せて基本的な変圧器構成を構成することができ、前記コイル２は前記ボビン本体１の前記巻溝グループ１２の周囲に設け、一次巻線２１及び二次巻線２２から構成することができ、且つ前記一次巻線２１及び前記二次巻線２２はそれぞれ端部２１３及び端部２２３を少なくとも一つ設けている。
【００１９】
好ましい実施例において、前記第一巻溝１２１、前記第二巻溝１２２及び前記第三巻溝１２３を異なる長さにすることができ、前記二次巻線２２は前記第三巻線１２３に直接巻き付け、前記一次巻線２１は、前記第一巻溝１２１及び前記第二巻溝１２２にそれぞれ巻き付けて二つの局部巻線２１１及び局部巻線２１２を形成し、且つ前記第一巻溝１２１内にある局部巻線２１１の巻数を前記第二巻溝１２２内にある局部巻線２１２の巻数より多く巻き付けている。
【００２０】
前記鉄芯グループ３は、相対する二つの鉄芯３１及び鉄芯３２から構成しており、前記鉄芯３１及び前記鉄芯３２の中間部分は前記経路１１に貫設可能な中柱部３１１及び中柱部３２１をそれぞれ設け、前記中柱部３１１及び前記中柱部３２１は対応する少なくとも二つの側柱部３１２及び側柱部３２２をサイドに設け、且つ、前記中柱部３１１及び前記中柱部３２１と、前記側柱部３１２及び前記側柱部３２２との間に、前記ボビン本体１の前記巻溝グループ１２及び前記コイル２が収納可能な収納空間３１３及び収納空間３２３を形成することで、前記二つの鉄芯３１及び鉄芯３２は、前記中柱部３１１及び前記中柱部３２１と、前記側柱部３１２及び前記側柱部３２２とを利用して前記ボビン本体１を通過する磁気回路を形成することができる。
【００２１】
本実施例で掲示する構成において、前記第一巻溝１２１及び前記第二巻溝１２２に巻き付く異なる巻数の各前記局部巻線２１１及び前記局部巻線２１２により、通電した後異なる強さの磁場をそれぞれ発生することができ、前記第三巻溝１２３に巻き付く前記二次巻線２２は前記第一巻溝１２１及び前記第二巻溝１２２との距離が異なるため、前記局部巻線２１１及び前記局部巻線２１２に発生する磁場をそれぞれ感知し、対応する感知電圧を発生して出力することができる。このことから、前記第一巻線２１を利用して前記第一巻溝１２１及び前記第二巻溝１２２に分布する各前記局部巻線２１１及び前記局部巻線２１２の巻数を調整し、前記二次巻線２２の漏れインダクタンスを変化させることができる。
【００２２】
図４を参照すると、図面から分かるとおり、本考案に係る第二応用実施例の構成は、主に、上述の第一実施例と同じボビン本体１を包括しており、実際に応用する際、前記ボビン本体１はコイル２ａ及び前記鉄芯グループ３と併せて基本的な変圧器構成を構成することができ、前記コイル２ａは、一次巻線２３及び前記二次巻線２２から構成している。
【００２３】
本実施例で掲示する構成において、前記二次巻線２２は前記第三巻線１２３に直接巻き付け、前記一次巻線２３は、前記第一巻溝１２１及び前記第二巻溝１２２にそれぞれ巻き付けて二つの局部巻線２３１及び局部巻線２３２を形成し、且つ前記第一巻溝１２１内にある局部巻線２３１の巻数を前記第二巻溝１２２内にある局部巻線２３２の巻数より少なく巻き付けている。即ち、前記二つの局部巻線２３１及び局部巻線２３２の巻数は、上述の前記二つの局部巻線２１１及び局部巻線２１２と異なっている。
【００２４】
前記鉄芯グループ３は、上述の第一実施例と同じように前記ボビン本体１と組み合い、且つ同じように前記ボビン本体１を通過する磁気回路を形成することができ、前記第一巻溝１２１及び前記第二巻溝１２２に巻き付く異なる巻数の各前記局部巻線２３１及び前記局部巻線２３２により、通電した後異なる強さの磁場をそれぞれ発生することができ、前記第三巻溝１２３に巻き付く前記二次巻線２２は前記第一巻溝１２１及び前記第二巻溝１２２との距離が異なるため、前記局部巻線２３１及び前記局部巻線２３２に発生する磁場をそれぞれ感知し、漏れインダクタンスを調整するという目標を達成することができる。
【００２５】
前記第一巻溝１２１内にある局部巻線２３１の巻数が前記第二巻溝１２２内にある局部巻線２３２の巻数より少ない（上述した二つの局部巻線２１１及び局部巻線２１２の分布とは異なる）ため、本実施例において、前記一次巻線２３が前記一次巻線２１と同じ巻数であったとしても、前記一次巻線２３（即ち、前記二つの局部巻線２３１及び局部巻線２３２）は異なる結合効果により、上述の第一実施例とは異なる前記二次巻線２２の結合具合を発生することができる。
【００２６】
図５を参照すると、図面から分かるとおり、本考案に係る第三応用実施例の構成は、主に、上述の第一実施例と同じボビン本体１を包括しており、実際に応用する際、前記ボビン本体１はコイル２ｂ及び前記鉄芯グループ３と併せて基本的な変圧器構成を構成することができ、前記コイル２ｂは、一次巻線２５及び二次巻線２４から構成している。
【００２７】
本実施例で掲示する構成において、前記一次巻線２５は前記第一巻線１２１に直接巻き付け、前記二次巻線２４は、前記第二巻溝１２２及び前記第三巻溝１２３にそれぞれ巻き付けて二つの局部巻線２４１及び局部巻線２４２を形成し、且つ前記第二巻溝１２２内にある局部巻線２４１の巻数を前記第三巻溝１２３内にある局部巻線２３２の巻数より少なく巻き付けている。
【００２８】
前記鉄芯グループ３は、上述の第一実施例と同じように前記ボビン本体１と組み合い、且つ同じように前記ボビン本体１を通過する磁気回路を形成することができ、前記第一巻溝１２１に巻き付く前記一次巻線２５により、通電した後磁場を発生することができ、前記第二巻溝１２２及び前記第三巻溝１２３に巻き付く異なる巻数の各前記局部巻線２４１及び前記局部巻線２４２は前記第一巻溝１２１との距離が異なるため、それぞれ前記一次巻線２５に発生する磁場を感知し、調整可能な磁場結合具合を実現している。
【００２９】
前記第一巻溝１２１内にある局部巻線２３１の巻数が前記第二巻溝１２２内にある局部巻線２３２の巻数より少ないため、本実施例において、前記一次巻線２３が前記一次巻線２１と同じ巻数であったとしても、前記一次巻線２３（即ち、前記二つの局部巻線２３１及び局部巻線２３２）は異なる結合効果により、上述の第一実施例とは異なる前記二次巻線２２の出力電圧を発生することができる。このことから、前記第二巻溝１２２及び前記第三巻溝１２３に分布する巻数の調整を利用し、前記二次巻線２２の最終漏れインダクタンスを変化することができる。
【００３０】
図６を参照すると、図面から分かるとおり、本考案に係る第四応用実施例の構成は、主に、上述の第一実施例と同じボビン本体１を包括しており、実際に応用する際、前記ボビン本体１はコイル２ｃ及び前記鉄芯グループ３と併せて基本的な変圧器構成を構成することができ、前記コイル２ｃは、一次巻線２５及び二次巻線２６から構成している。
【００３１】
本実施例で掲示する構成において、前記一次巻線２５は前記第一巻線１２１に直接巻き付け、前記二次巻線２６は、前記第二巻溝１２２及び前記第三巻溝１２３にそれぞれ巻き付けて二つの局部巻線２６１及び局部巻線２６２を形成し、且つ前記第二巻溝１２２内にある局部巻線２６１の巻数は上述の局部巻線２４１の巻数より多く、前記第三巻溝１２３内にある局部巻線２６２の巻数は上述の局部巻線２４２の巻数より少なく巻き付けている。
【００３２】
前記鉄芯グループ３は、上述の第一実施例と同じように前記ボビン本体１と組み合い、且つ同じように前記ボビン本体１を通過する磁気回路を形成することができ、前記第一巻溝１２１に巻き付く前記一次巻線２５により、通電した後磁場を発生することができ、前記第二巻溝１２２及び前記第三巻溝１２３に巻き付く異なる巻数の各前記局部巻線２６１及び前記局部巻線２６２は前記第一巻溝１２１との距離が異なるため、それぞれ前記一次巻線２５に発生する磁場を感知し、調整可能な磁場結合具合を実現している。
【００３３】
前記第二巻溝１２２及び前記第三巻溝１２３に巻き付く異なる巻数の各前記局部巻線２６１及び前記局部巻線２６２は、上述した第三実施例に係る二つの局部巻線２４１及び局部巻線２４２の分布と異なるため、本実施例において、前記二次巻線２６が前記二次巻線２４と同じ巻数であったとしても、前記二次巻線２６（即ち、前記二つの局部巻線２６１及び局部巻線２６２）は異なる結合効果により、上述した第三実施例とは異なる前記二次巻線２６の漏れインダクタンスとなっている。
【００３４】
以上のことから、本考案である結合調整巻溝を有するボビン構成は、容易に各巻線の相対的電磁結合位置を変化すること、漏れインダクタンスの調整及び抵抗の出力が確実にできるため、本考案は新規性及び進歩性を備えている。なお、上述で述べているものは、本考案の好ましい実施例に過ぎず、本考案の請求の範囲を限定するものではない。本考案の請求の範囲に基づいて行った変更及び修正は、本考案が請求する範囲に含まれている。
【符号の説明】
【００３５】
１          ボビン本体
１１        経路
１２        巻溝
１２１      第一巻溝
１２２      第二巻溝
１２３      第三巻溝
１３        台座部
１４        接続端子
２          コイル
２ａ        コイル
２ｂ        コイル
２ｃ        コイル
２１        一次巻線
２１１      局部巻線
２１２      局部巻線
２１３      端部
２２        二次巻線
２２３      端部
２３        一次巻線
２３１      局部巻線
２３２      局部巻線
２４        二次巻線
２４１      局部巻線
２４２      局部巻線
２５        一次巻線
２６        二次巻線
２６１      局部巻線
２６２      局部巻線
３          鉄芯グループ
３１        鉄芯
３１１      中柱部
３１２      側柱部
３１３      収納空間
３２        鉄芯
３２１      中柱部
３２２      側柱部
３２３      収納空間
【図１】
0003196424.tif 000003
【図２】
0003196424.tif 000004
【図３】
0003196424.tif 000005
【図４】
0003196424.tif 000006
【図５】
0003196424.tif 000007
【図６】
0003196424.tif 000008
【手続補正書】
【提出日】平成27年1月7日(2015.1.7)
【手続補正１】
【補正対象書類名】明細書
【補正対象項目名】全文
【補正方法】変更
【補正の内容】
【考案の詳細な説明】
【技術分野】
【０００１】
本考案は、結合調整巻溝を有するボビン構成であって、特にコイルの各巻線の相対的電磁結合位置を変化することによって、コイル全体の漏れインダクタンスを容易に調整すること及び抵抗を出力し且つ使用帯域幅を向上することを達するボビン構成に関するものである。
【背景技術】
【０００２】
周知の変圧器ボビン構成は、簡易的なものであって、単一の巻溝しか有してなく、且つそのコイルの一、二次巻線は、通常、一次巻線を巻溝内周側に巻き付け、二次巻線を一次巻線の外周側に巻き付けるように、順次に前記巻溝内に積層することで、上述の一、二次巻線の間に電磁結合効果を形成している。
【０００３】
また、ボビンの周囲に二つに区分けした巻溝を設けるものもあり、コイルの一、二次巻線を前記二つの巻溝にそれぞれ巻き付け、このことから、上述の一、二次巻線の間に電磁結合効果を形成することで、上述の二次巻線は、一次巻線で発生した磁場を感知し、相対する感知電圧を発生することができる。
【０００４】
上述した二つの従来の構成は、一、二次巻線の間の相互位置が固定されているため、その間の電磁結合特性を変化させることができないことから、上述の一、二次巻線の間の漏れインダクタンスを調整することはできず、ＬＬＣ共振回路からすると、通常の実施の際、メイン変圧器以外に外部共振インダクタを加えなければならず、近年、直接漏れインダクタンスを共振インダクタとする一体型変圧器があるが、前記一体型変圧器は占有する空間が小さいことやコスト的優位性を有するものの、漏れインダクタンスは位置が固定する一、二次巻線の制限をしばしば受けて弾性的に調整することが難しい。
【０００５】
現在、外部共振インダクタを変圧器内に整合したものがあるものの、いずれも一、二次巻線の距離を広げることにより漏れインダクタンスの向上を図っているため、コイルの巻き付け空間が浪費し、変圧器の大きさを増大させ、さらに、その一、二次巻線に溝分けを実施していないため、浮遊容量が過大化し、変圧器の作業帯域幅を低減している。
【０００６】
以上のような課題を有する従来の変圧器ボビン構成を鑑み、本考案を提供する。
【考案の概要】
【考案が解決しようとする課題】
【０００７】
本考案の主な目的は、ボビン上に互いに区分けし合い且つ長さが異なる少なくとも三つの巻溝を設ける結合調整巻溝を有するボビン構成を提供することにあり、コイルの一次巻線（或いは二次巻線）をこれ等巻溝のうちの一つに巻き付け、さらに、コイルの第二巻溝（或いは一次巻溝）を、既定のニーズに基づいてこれ等巻溝のうちの残りの少なくとも二つに巻き付け、各巻溝の間は異なる間隔を有し、さらに二次巻線（或いは一次巻線）が各巻溝内に分布する巻数の変化と併せることで、前記一、二次巻線の間に異なる結合効果を形成し、このことから、変圧器全体の出力抵抗を簡単に調整する効果を達し、複数の巻溝を有する変圧器の巻線の浮遊容量を低減し、変圧器の帯域幅を向上することがにある。
【０００８】
本考案のもう一つの目的は、外部共振インダクタを変圧器内部に整合する機構がある結合調整巻溝を有するボビン構成を提供することにあり、これによって全体の組合せを簡易化し、空間の利用効率を有効的に増加することにある。
【課題を解決するための手段】
【０００９】
上述の目的及び効果を達成するため、本考案が実行する技術的手段は、内部に磁力線を通過させるための経路を設けるボビン本体を包括しており、前記経路の外周側は互いに区分けし合う少なくとも三つの巻溝を設け、これ等巻溝のうちの一つは既定の変圧器コイルの一次巻線を巻き付けるために用い、且つ前記変圧器コイルの二次巻線は残りの巻溝に巻き付けるように分布している。
【００１０】
上述の構成に基づくと、各前記巻溝は、異なる長さを有している。
【００１１】
上述の構成に基づくと、前記経路に近接する前記ボビン本体の少なくとも一端は、サイドに向かって延伸する台座部を設け、前記台座部は複数の複数の接続端子を設けている。
【００１２】
本考案が実行するもう一つの技術的手段は、内部に磁力線を通過させるための経路を設けるボビン本体を包括しており、前記経路の外周側は互いに区分けし合う少なくとも三つの巻溝を設け、これ等巻溝のうちの一つは既定の変圧器コイルの二次巻線を巻き付けるために用い、且つ前記変圧器コイルの一次巻線は残りの巻溝に巻き付けるように分布している。
【００１３】
上述の構成に基づくと、各前記巻溝は、異なる長さを有している。
【００１４】
上述の構成に基づくと、前記経路に近接する前記ボビン本体の少なくとも一端は、サイドに向かって延伸する台座部を設け、前記台座部は複数の接続端子を設けている。
【００１５】
本考案に係る目的、効果及びその特徴に対してより具体的な理解を得てもらうため、以下において、図面とともに説明を行う。
【図面の簡単な説明】
【００１６】
【図１】本考案に係る第一応用実施例及びこれに関係する素子を示す分解図である。
【図２】本考案に係る第一応用実施例及びこれに関係する素子を示す組立図である。
【図３】本考案に係る第一応用実施例及びこれに関係する素子を示す断面図である。
【図４】本考案に係る第二応用実施例及びこれに関係する素子を示す断面図である。
【図５】本考案に係る第三応用実施例及びこれに関係する素子を示す断面図である。
【図６】本考案に係る第四応用実施例及びこれに関係する素子を示す断面図である。
【考案を実施するための形態】
【００１７】
図１乃至図３を参照すると、図面から分かるとおり、本考案に係る第一応用実施例の構成は、主に、内部に貫通する経路１１を設けるボビン本体１を包括しており、前記経路１１の外周側は巻溝グループ１２を設け、前記巻溝グループ１２は少なくとも第一巻溝１２１、第二巻溝１２２及び第三巻溝１２３から構成しており、前記ボビン本体１は前記巻溝グループ１２に対応する一端に両サイドに向かって延伸する台座部１３を設け、各前記台座部１３は複数の接続端子１４を設けている。
【００１８】
実際に応用する際、前記ボビン本体１はコイル２及び鉄芯グループ３と併せて基本的な変圧器構成を構成することができ、前記コイル２は前記ボビン本体１の前記巻溝グループ１２の周囲に設け、一次巻線２１及び二次巻線２２から構成することができ、且つ前記一次巻線２１及び前記二次巻線２２はそれぞれ端部２１３及び端部２２３を少なくとも一つ設けている。
【００１９】
好ましい実施例において、前記第一巻溝１２１、前記第二巻溝１２２及び前記第三巻溝１２３を異なる長さにすることができ、前記二次巻線２２は前記第三巻線１２３に直接巻き付け、前記一次巻線２１は、前記第一巻溝１２１及び前記第二巻溝１２２にそれぞれ巻き付けて二つの局部巻線２１１及び局部巻線２１２を形成し、且つ前記第一巻溝１２１内にある局部巻線２１１の巻数を前記第二巻溝１２２内にある局部巻線２１２の巻数より多く巻き付けている。
【００２０】
前記鉄芯グループ３は、相対する二つの鉄芯３１及び鉄芯３２から構成しており、前記鉄芯３１及び前記鉄芯３２の中間部分は前記経路１１に貫設可能な中柱部３１１及び中柱部３２１をそれぞれ設け、前記中柱部３１１及び前記中柱部３２１は対応する少なくとも二つの側柱部３１２及び側柱部３２２をサイドに設け、且つ、前記中柱部３１１及び前記中柱部３２１と、前記側柱部３１２及び前記側柱部３２２との間に、前記ボビン本体１の前記巻溝グループ１２及び前記コイル２が収納可能な収納空間３１３及び収納空間３２３を形成することで、前記二つの鉄芯３１及び鉄芯３２は、前記中柱部３１１及び前記中柱部３２１と、前記側柱部３１２及び前記側柱部３２２とを利用して前記ボビン本体１を通過する磁気回路を形成することができる。
【００２１】
本実施例で掲示する構成において、前記第一巻溝１２１及び前記第二巻溝１２２に巻き付く異なる巻数の各前記局部巻線２１１及び前記局部巻線２１２により、通電した後異なる強さの磁場をそれぞれ発生することができ、前記第三巻溝１２３に巻き付く前記二次巻線２２は前記第一巻溝１２１及び前記第二巻溝１２２との距離が異なるため、前記局部巻線２１１及び前記局部巻線２１２に発生する磁場をそれぞれ感知し、対応する感知電圧を発生して出力することができる。このことから、前記第一巻線２１を利用して前記第一巻溝１２１及び前記第二巻溝１２２に分布する各前記局部巻線２１１及び前記局部巻線２１２の巻数を調整し、前記二次巻線２２の漏れインダクタンスを変化させることができる。
【００２２】
図４を参照すると、図面から分かるとおり、本考案に係る第二応用実施例の構成は、主に、上述の第一実施例と同じボビン本体１を包括しており、実際に応用する際、前記ボビン本体１はコイル２ａ及び前記鉄芯グループ３と併せて基本的な変圧器構成を構成することができ、前記コイル２ａは、一次巻線２３及び前記二次巻線２２から構成している。
【００２３】
本実施例で掲示する構成において、前記二次巻線２２は前記第三巻線１２３に直接巻き付け、前記一次巻線２３は、前記第一巻溝１２１及び前記第二巻溝１２２にそれぞれ巻き付けて二つの局部巻線２３１及び局部巻線２３２を形成し、且つ前記第一巻溝１２１内にある局部巻線２３１の巻数を前記第二巻溝１２２内にある局部巻線２３２の巻数より少なく巻き付けている。即ち、前記二つの局部巻線２３１及び局部巻線２３２の巻数は、上述の前記二つの局部巻線２１１及び局部巻線２１２と異なっている。
【００２４】
前記鉄芯グループ３は、上述の第一実施例と同じように前記ボビン本体１と組み合い、且つ同じように前記ボビン本体１を通過する磁気回路を形成することができ、前記第一巻溝１２１及び前記第二巻溝１２２に巻き付く異なる巻数の各前記局部巻線２３１及び前記局部巻線２３２により、通電した後異なる強さの磁場をそれぞれ発生することができ、前記第三巻溝１２３に巻き付く前記二次巻線２２は前記第一巻溝１２１及び前記第二巻溝１２２との距離が異なるため、前記局部巻線２３１及び前記局部巻線２３２に発生する磁場をそれぞれ感知し、漏れインダクタンスを調整するという目標を達成することができる。
【００２５】
前記第一巻溝１２１内にある局部巻線２３１の巻数が前記第二巻溝１２２内にある局部巻線２３２の巻数より少ない（上述した二つの局部巻線２１１及び局部巻線２１２の分布とは異なる）ため、本実施例において、前記一次巻線２３が前記一次巻線２１と同じ巻数であったとしても、前記一次巻線２３（即ち、前記二つの局部巻線２３１及び局部巻線２３２）は異なる結合効果により、上述の第一実施例とは異なる前記二次巻線２２の結合具合を発生することができる。
【００２６】
図５を参照すると、図面から分かるとおり、本考案に係る第三応用実施例の構成は、主に、上述の第一実施例と同じボビン本体１を包括しており、実際に応用する際、前記ボビン本体１はコイル２ｂ及び前記鉄芯グループ３と併せて基本的な変圧器構成を構成することができ、前記コイル２ｂは、一次巻線２５及び二次巻線２４から構成している。
【００２７】
本実施例で掲示する構成において、前記一次巻線２５は前記第一巻線１２１に直接巻き付け、前記二次巻線２４は、前記第二巻溝１２２及び前記第三巻溝１２３にそれぞれ巻き付けて二つの局部巻線２４１及び局部巻線２４２を形成し、且つ前記第二巻溝１２２内にある局部巻線２４１の巻数を前記第三巻溝１２３内にある局部巻線２４２の巻数より少なく巻き付けている。
【００２８】
前記鉄芯グループ３は、上述の第一実施例と同じように前記ボビン本体１と組み合い、且つ同じように前記ボビン本体１を通過する磁気回路を形成することができ、前記第一巻溝１２１に巻き付く前記一次巻線２５により、通電した後磁場を発生することができ、前記第二巻溝１２２及び前記第三巻溝１２３に巻き付く異なる巻数の各前記局部巻線２４１及び前記局部巻線２４２は前記第一巻溝１２１との距離が異なるため、それぞれ前記一次巻線２５に発生する磁場を感知し、対応する感知電圧を発生して出力することができる。このことから、前記第二巻線２４を利用して前記第二巻溝１２２及び前記第三巻溝１２３に分布する各前記局部巻線２４１及び前記局部巻線２４２の巻数を調整することで、全体の磁場結合具合を調整可能にしている。
【００２９】
図６を参照すると、図面から分かるとおり、本考案に係る第四応用実施例の構成は、主に、上述の第一実施例と同じボビン本体１を包括しており、実際に応用する際、前記ボビン本体１はコイル２ｃ及び前記鉄芯グループ３と併せて基本的な変圧器構成を構成することができ、前記コイル２ｃは、一次巻線２５及び二次巻線２６から構成している。
【００３０】
本実施例で掲示する構成において、前記一次巻線２５は前記第一巻線１２１に直接巻き付け、前記二次巻線２６は、前記第二巻溝１２２及び前記第三巻溝１２３にそれぞれ巻き付けて二つの局部巻線２６１及び局部巻線２６２を形成し、且つ前記第二巻溝１２２内にある局部巻線２６１の巻数は上述の局部巻線２４１の巻数より多く、前記第三巻溝１２３内にある局部巻線２６２の巻数は上述の局部巻線２４２の巻数より少なく巻き付けている。
【００３１】
前記鉄芯グループ３は、上述の第一実施例と同じように前記ボビン本体１と組み合い、且つ同じように前記ボビン本体１を通過する磁気回路を形成することができ、前記第一巻溝１２１に巻き付く前記一次巻線２５により、通電した後磁場を発生することができ、前記第二巻溝１２２及び前記第三巻溝１２３に巻き付く異なる巻数の各前記局部巻線２６１及び前記局部巻線２６２は前記第一巻溝１２１との距離が異なるため、それぞれ前記一次巻線２５に発生する磁場を感知し、調整可能な磁場結合具合を実現している。
【００３２】
前記第二巻溝１２２及び前記第三巻溝１２３に巻き付く異なる巻数の各前記局部巻線２６１及び前記局部巻線２６２は、上述した第三実施例に係る二つの局部巻線２４１及び局部巻線２４２の分布と異なるため、本実施例において、前記二次巻線２６が前記二次巻線２４と同じ巻数であったとしても、前記二次巻線２６（即ち、前記二つの局部巻線２６１及び局部巻線２６２）は異なる結合効果により、上述した第三実施例とは異なる前記二次巻線２６の漏れインダクタンスとなっている。
【００３３】
以上のことから、本考案である結合調整巻溝を有するボビン構成は、容易に各巻線の相対的電磁結合位置を変化すること、漏れインダクタンスの調整及び抵抗の出力が確実にできるため、本考案は新規性及び進歩性を備えている。なお、上述で述べているものは、本考案の好ましい実施例に過ぎず、本考案の請求の範囲を限定するものではない。本考案の請求の範囲に基づいて行った変更及び修正は、本考案が請求する範囲に含まれている。
【符号の説明】
【００３４】
１          ボビン本体
１１        経路
１２        巻溝
１２１      第一巻溝
１２２      第二巻溝
１２３      第三巻溝
１３        台座部
１４        接続端子
２          コイル
２ａ        コイル
２ｂ        コイル
２ｃ        コイル
２１        一次巻線
２１１      局部巻線
２１２      局部巻線
２１３      端部
２２        二次巻線
２２３      端部
２３        一次巻線
２３１      局部巻線
２３２      局部巻線
２４        二次巻線
２４１      局部巻線
２４２      局部巻線
２５        一次巻線
２６        二次巻線
２６１      局部巻線
２６２      局部巻線
３          鉄芯グループ
３１        鉄芯
３１１      中柱部
３１２      側柱部
３１３      収納空間
３２        鉄芯
３２１      中柱部
３２２      側柱部
３２３      収納空間
【手続補正２】
【補正対象書類名】実用新案登録請求の範囲
【補正対象項目名】全文
【補正方法】変更
【補正の内容】
【実用新案登録請求の範囲】
【請求項１】
少なくとも内部に磁力線を通過させるための経路を設けるボビン本体を包括する結合調整巻溝を有するボビン構成であって、
前記経路の外周側は互いに区分けし合う少なくとも三つの巻溝を設け、これ等巻溝のうちの一つは既定の変圧器コイルの一次巻線を巻き付けるために用い、且つ前記変圧器コイルの二次巻線は残りの巻溝に巻き付けるように分布することを特徴とする結合調整巻溝を有するボビン構成。
【請求項２】
各前記巻溝は、異なる長さを有することを特徴とする請求項１に記載の結合調整巻溝を有するボビン構成。
【請求項３】
前記経路に近接する前記ボビン本体の少なくとも一端は、サイドに向かって延伸する台座部を設け、前記台座部は複数の接続端子を設けることを特徴とする請求項１に記載の結合調整巻溝を有するボビン構成。
【請求項４】
少なくとも内部に磁力線を通過させるための経路を設けるボビン本体を包括する結合調整巻溝を有するボビン構成であって、
前記経路の外周側は互いに区分けし合う少なくとも三つの巻溝を設け、これ等巻溝のうちの一つは既定の変圧器コイルの二次巻線を巻き付けるために用い、且つ前記変圧器コイルの一次巻線は残りの巻溝に巻き付けるように分布することを特徴とする結合調整巻溝を有するボビン構成。
【請求項５】
各前記巻溝は、異なる長さを有することを特徴とする請求項４に記載の結合調整巻溝を有するボビン構成。
【請求項６】
前記経路に近接する前記ボビン本体の少なくとも一端は、サイドに向かって延伸する台座部を設け、前記台座部は複数の接続端子を設けることを特徴とする請求項４に記載の結合調整巻溝を有するボビン構成。